(57)【要約】【課題】  施錠されたトレイを選択して、白紙または白紙に近い内容の印刷画像を印刷することにより、特殊用紙をほぼ無傷で排紙させることができる。【解決手段】  記憶媒体に印刷するプリント部と、コピー部又はＦＡＸ部のうち少なくとも一つと、印刷前の記録媒体を格納する施錠可能な鍵付きトレイと、ユーザからの要求に応じてプリント部、コピー部、ＦＡＸ部のうち少なくとも一つを制御する画像形成制御部とを有し、画像形成制御部は、鍵付きトレイを選択したプリント部への要求に対して、鍵付きトレイと鍵付きトレイからの印刷を許可されたユーザとの対応付けに基づき、鍵付トレイからの印刷を許可されたユーザからの要求である場合にプリント部への要求に含まれる印刷画像を印刷し、コピー部又はＦＡＸ部のうち少なくとも一つへの要求に対して、鍵付きトレイからの印刷をしないよう制御する画像形成装置である。【選択図】図９
2019020661.tif 000002
【特許請求の範囲】
【請求項１】
記憶媒体に印刷するプリント部と、
コピー部又はＦＡＸ部のうち少なくとも一つと、
印刷前の記録媒体を格納する施錠可能な鍵付きトレイと、
ユーザからの要求に応じて前記プリント部、前記コピー部、前記ＦＡＸ部のうち少なくとも一つを制御する画像形成制御部と、
を有し、
前記画像形成制御部は、
前記鍵付きトレイを選択した前記プリント部への要求に対して、前記鍵付きトレイと前記鍵付きトレイからの印刷を許可されたユーザとの対応付けに基づき、前記鍵付きトレイからの印刷を許可されたユーザからの要求である場合に前記プリント部への要求に含まれる印刷画像を印刷し、
前記コピー部又はＦＡＸ部のうち少なくとも一つへの要求に対して、前記鍵付きトレイからの印刷をしないよう制御する画像形成装置。
【請求項２】
前記画像形成装置はさらに、外部サーバ装置と通信する通信制御部を有し、
前記画像形成制御部は、前記外部サーバ装置から前記外部サーバ装置が記憶する前記鍵付きトレイと前記鍵付きトレイからの印刷を許可されたユーザとの対応付けを取得する請求項１の画像形成装置。
【請求項３】
前記画像形成制御部は、前記プリント部への要求に対して、前記プリント部への要求に含まれる印刷画像が所定条件を満たしていない場合に前記要求を破棄する請求項１または２いずれか一つの画像形成装置。
【請求項４】
前記所定条件は、記憶媒体上に印刷される画像部分の面積が所定以上である請求項３の画像形成装置。
【請求項５】
前記所定条件は、記憶媒体上の所定箇所に、印刷される画像が有ることである請求項３の画像形成装置。
【請求項６】
前記画像形成装置はさらに、前記画像形成装置への指示を受け付ける操作部を有し、
前記画像形成制御部は、前記コピー部又はＦＡＸ部のうち少なくとも一つへの要求に対して、前記鍵付きトレイを前記操作部から選択できないようする請求項１ないし５いずれか一つの画像形成装置。
【請求項７】
前記画像形成装置はさらに、印刷前の記録媒体を格納する施錠していない通常トレイを有する請求項１ないし６いずれか一つの画像形成装置。
【請求項８】
記憶媒体に印刷するプリント部と、
コピー部又はＦＡＸ部のうち少なくとも一つと、
印刷前の記録媒体を格納する施錠可能な鍵付きトレイと、
ユーザからの要求に基づき前記プリント部、前記コピー部、前記ＦＡＸ部のうち少なくとも一つを制御する画像形成制御部とを有し、
前記画像形成制御部は、
前記鍵付きトレイを選択したプリント部への要求に対して、前記鍵付きトレイと前記鍵付きトレイからの印刷を許可されたユーザとの対応付けに基づき、前記鍵付きトレイからの印刷を許可されたユーザからの要求である場合に前記要求に含まれる印刷画像を印刷し、
前記コピー部又はＦＡＸ部のうち少なくとも一つへの要求に対して、前記鍵付きトレイからの印刷を行わないよう制御する画像形成装置と、
前記プリント部への要求を前記画像形成装置に送信する端末装置とからなる画像形成システムであって、
前記端末装置は、前記画像形成装置へのプリント要求を作成するプリンタドライバを有し、前記プリンタドライバは、少なくとも前記印刷画像および前記印刷画像を印刷するトレイおよびユーザを識別する情報とからなる前記プリント要求を作成する画像形成システム。
【請求項９】
前記端末装置は、印刷画像を作成する印刷アプリケーションを有し、前記ユーザを識別する情報は前記印刷アプリケーションの固有識別情報である請求項８の画像形成システム。
【請求項１０】
前記端末装置は、前記印刷画像が所定条件を満たしていない場合には前記プリント要求の作成を中止する請求項９の画像形成システム。
【発明の詳細な説明】
【技術分野】
【０００１】
本発明は、画像形成装置および画像形成システムに関する。
【背景技術】
【０００２】
従来、機密性が高い情報を印刷する用紙等の記録媒体、例えば自治体や各種事業者・会員組織が発行する証明書や医療機関が発行する処方箋、また、財産的価値を有する情報が印刷される用紙等の記録媒体、例えば権利証や各種チケットには、地紋印刷や特定の印章等特別な印刷を施してセキュリティ管理をしている。
【０００３】
一般的に、プリンタ等において印刷前の用紙はトレイに格納されており、その間に持ち出される可能性がある。上述のような特別な印刷を施した特殊用紙は、特別な印刷を施している分、通常の用紙と比較して高価になる。また不特定の人物の手に渡ると、偽造や不正目的に用いられる可能性があり、特にトレイからの持ち出しが問題となる。
【０００４】
特許文献１では、用紙の盗難を防止する目的で、用紙が格納されているトレイに施錠し、格納されている用紙が無くなるまで開錠できない、または開錠するのにパスワードによる認証が必要な画像形成装置が開示されている。
【発明の概要】
【発明が解決しようとする課題】
【０００５】
しかし、特許文献１では、施錠されたトレイを選択して、白紙画像、または白紙に近い内容の画像を出力することにより、特別な印刷を施した特殊用紙をほぼ無傷で排紙させることができる。この結果、不特定の人物によって特殊用紙が持ち出される可能性がある。
【課題を解決するための手段】
【０００６】
上記課題を解決するために、請求項１にかかる発明は、記憶媒体に印刷するプリント部と、コピー部又はＦＡＸ部のうち少なくとも一つと、印刷前の記録媒体を格納する施錠可能な鍵付きトレイと、ユーザからの要求に応じて前記プリント部、前記コピー部、前記ＦＡＸ部のうち少なくとも一つを制御する画像形成制御部とを有し、前記画像形成制御部は、前記鍵付きトレイを選択した前記プリント部への要求に対して、前記鍵付きトレイと前記鍵付きトレイからの印刷を許可されたユーザとの対応付けに基づき、前記鍵付トレイからの印刷を許可されたユーザからの要求である場合に前記プリント部への要求に含まれる印刷画像を印刷し、前記コピー部又はＦＡＸ部のうち少なくとも一つへの要求に対して、前記鍵付きトレイからの印刷をしないよう制御する画像形成装置である。
【発明の効果】
【０００７】
本発明によれば、鍵付きトレイに格納されている用紙等の記録媒体を、不特定の人物が画像形成装置から排出して持ち出すのを防止できる。
【図面の簡単な説明】
【０００８】
【図１】第１の実施形態のネットワーク構成図である。
【図２】第１の実施形態の画像形成装置１ハードウェア構成図である。
【図３】第１の実施形態の端末装置２ハードウェア構成図である。
【図４】第１の実施形態の画像形成装置１と端末装置２との使用形態の説明図である。
【図５】第1の実施形態の画像形成装置１および画像形成装置２の機能ブロック図である。
【図６】トレイ種類テーブルの例である。
【図７】トレイ権限テーブルの例である。
【図８】第１の実施形態の端末装置２の処理フローである。
【図９】第１の実施形態の画像形成装置１の処理フローである。
【図１０】第１の実施形態の端末装置２へのエラーメッセージ表示シーケンスである。
【図１１】第１の実施形態の画像形成装置１の処理フローである。
【図１２】第２の実施形態の画像形成装置１および画像形成装置２の機能ブロック図である。
【図１３】第２の実施形態の画像形成装置１の処理フローである。
【図１４】第３の実施形態の画像形成装置１および画像形成装置２の機能ブロック図である。
【図１５】第３の実施形態の端末装置２の処理フローである。
【図１６】第４の実施形態のネットワーク構成図である。
【図１７】第４の実施形態のサーバ装置３のハードウェア構成図である。
【図１８】第４の実施形態の画像形成装置１および端末装置２およびサーバ装置３の機能ブロック図である。
【発明を実施するための形態】
【０００９】
以下、添付の図面に基づき、本発明の実施の形態について説明する。なお、本発明の実施の形態を説明するための各図面において、同一の機能もしくは形状を有する部材や構成部品等の構成要素については、判別が可能な限り同一符号を付すことにより一度説明した後ではその説明を省略する。
【００１０】
まず、本発明の第１の実施形態に係るシステム構成について説明する。図１に示すように画像形成装置１と、ＰＣ（Ｐｅｒｓｏｎａｌ  Ｃｏｍｐｕｔｅｒ）などの端末装置２とが、ネットワーク１０００によって接続されている。ここで、ネットワーク１０００はＬＡＮ（Ｌｏｃａｌ  Ａｒｅａ  Ｎｅｔｗｏｒｋ）、インターネット、ＬＡＮ経由のインターネット等を含む概念である。端末装置２はネットワーク１０００に有線で接続されていてもよいし、無線接続のいわゆるモバイル端末などでもよい。一つの画像形成装置１に対し、複数の端末装置２が接続されていてもよい。
【００１１】
画像形成装置１は、コピー機能、ＦＡＸ機能、プリント機能、スキャナ機能、また、入力画像（スキャナ機能による読み取り原稿や、プリンタ機能あるいはＦＡＸ機能により入力された画像）を保存や配信する機能等を複合して有するいわゆるＭＦＰ（Ｍｕｌｔｉ  Ｆｕｎｃｔｉｏｎ  Ｐｅｒｉｐｈｅｒａｌ）と称される複合機である。なお、本実施形態において、画像形成装置１で処理される「画像」には画像データだけでなく、画像データが含まれていないデータ、つまりテキスト情報のみのデータも含むものとする。
【００１２】
次に、画像形成装置１のハードウェア構成について説明する。図２に示すように、画像形成装置１は、ＣＰＵ（Ｃｅｎｔｒａｌ  Ｐｒｏｃｅｓｓｉｎｇ  Ｕｎｉｔ）１０と、ＲＯＭ（Ｒｅａｄ  Ｏｎｌｙ  Ｍｅｍｏｒｙ）１１と、ＲＡＭ（Ｒａｎｄｏｍ  Ａｃｃｅｓｓ  Ｍｅｍｏｒｙ）１２と、ＨＤＤ（Ｈａｒｄ  Ｄｉｓｋ  Ｄｒｉｖｅ）１３と、通信Ｉ／Ｆ（ｉｎｔｅｒｆａｃｅ）１５と、操作パネル１６と、エンジン部１７と、外部接続Ｉ／Ｆ１８とを備え、これらがシステムバス１９を介して相互に接続されている。ＨＤＤ１３は、ＣＰＵ１０の制御にしたがって電子データを記憶可能な記憶媒体であるＨＤ（Ｈａｒｄ  Ｄｉｓｋ）１４に対するデータの読み出し又は書き込みを行う。
【００１３】
ＣＰＵ１０は、画像形成装置１の動作を制御する。ＣＰＵ１０は、ＲＡＭ１２をワークエリア（作業領域）としてＲＯＭ１１又はＨＤ１４に格納されたプログラムを実行することで、画像形成装置１全体の動作を制御し、上述したコピー機能、スキャナ機能、ファクス機能、プリンタ機能などの各種機能を実現する。これらの各種機能の実行した動作（以降ジョブと呼ぶことがある）は、その都度、画像処理装置１００の動作ログとしてＨＤ１４に保存可能である。
【００１４】
通信Ｉ／Ｆ１５は、ネットワーク１０００と接続するためのインタフェースである。
【００１５】
操作パネル１６は、操作者の操作に応じた各種の入力を受け付けるとともに、各種の情報（例えば受け付けた操作を示す情報、画像形成装置１の動作状況を示す情報、画像形成装置１の設定状態を示す情報など）を表示する。操作パネル１６は、一例としてタッチパネル機能を搭載した液晶表示装置（ＬＣＤ：Ｌｉｑｕｉｄ  Ｃｒｉｓｔａｌ  Ｄｉｓｐｌａｙ）で構成されるが、これに限られるものではない。例えばタッチパネル機能が搭載された有機ＥＬ（Ｅｌｅｃｔｏｒｏ−Ｌｕｍｉｎｅｓｃｅｎｃｅ）表示装置で構成されてもよい。さらに、これに加えて又はこれに代えて、ハードウェアキー等の操作部やランプ等の表示部を設けることもできる。
【００１６】
エンジン部１７は、プリンタ機能、コピー機能、ＦＡＸ機能、などを実現させるための、汎用的な情報処理及び通信以外の処理を行うハードウェアである。プリンタ機能を行うプリンタ部１７０１、コピー機能を行うコピー部１７０２、ＦＡＸ機能を行うＦＡＸ部１７０３を有する。その他印刷済み記録媒体を仕分けるフィニッシャや、原稿を自動給送するＡＤＦ（Ａｕｔｏ  Ｄｏｃｕｍｅｎｔ  Ｆｅｅｄｅｒ）のような特定のオプションを備えることもできる。
【００１７】
外部接続Ｉ／Ｆ１８は、操作者が操作パネル１６にログインする時に用いるＩＣ（Ｉｎｔｅｇｒａｔｅｄ  Ｃｉｒｃｕｉｔ）カードを読み込ませるＩＣカードリーダ１００１と接続するためのインタフェースである。
【００１８】
図３を用いて端末装置２のハードウェア構成を説明する。端末装置２は、ＣＰＵ２０と、ＲＯＭ２１と、ＲＡＭ２２と、ＨＤＤ２３と、通信Ｉ／Ｆ２５と、ディスプレイ２６と、入力手段２７と、記憶媒体ドライブ２８とを備え、これらがシステムバス２９を介して相互に接続されている。ＨＤＤ２３は、ＣＰＵ２０の制御にしたがって電子データを記憶可能な記憶媒体であるＨＤ２４に対するデータの読み出し又は書き込みを行う。
【００１９】
ＣＰＵ２０は、端末装置２の動作を制御する。ＣＰＵ２０は、ＲＡＭ２２をワークエリアとしてＲＯＭ２１またはＨＤ２４に格納されたプログラムを実行することで、端末装置２全体の動作を制御し、操作者から受け付けた入力に応じて各種機能を実現する。 
【００２０】
入力手段２７は、操作者の操作に応じた各種の入力を受け付ける。キーボードやマウスを採用することができるがこれに限られない。
【００２１】
図４を用いて、画像形成装置１および端末装置２を用いた画像形成システムについて説明する。
【００２２】
まず画像形成装置１のプリント機能について説明する。本実施形態の画像形成装置１は、ネットワーク１０００を通じて端末装置２からの印刷指示を受け、用紙などの記憶媒体に印刷する、プリント機能を実行可能である。
【００２３】
端末装置２のＨＤ２４にはＣＰＵ２０が実行可能なプログラムである印刷画像作成アプリケーション（以下印刷アプリと呼ぶことがある）２０００およびプリンタドライバ２００１が記憶されている。
【００２４】
印刷アプリ２０００は、操作者の入力に従って、印刷画像を作成するアプリケーションである。ここで印刷画像とは、用紙などの記憶媒体へ印刷する画像である。プリンタドライバ２００１は、操作者が入力する印刷に関する各種設定（以下印刷設定と呼ぶことがある）、例えば画質、印刷部数、ページ割付、トレイ等に基づき、印刷画像を印刷データに変換するアプリケーションである。ここで印刷データとは、画像形成装置１が解釈してエンジン部１７で記憶媒体への画像形成を実行可能なデータである。
【００２５】
端末装置２の動作としては、端末装置２の操作者が印刷アプリ２０００を立ち上げ印刷画像を作成する。作成した印刷画像について操作者が印刷指示を入力すると、プリンタドライバ２００１が立ち上がり、操作者は、プリンタドライバ２００１に印刷設定を入力する。
【００２６】
するとプリンタドライバ２００１は、印刷アプリ２０００を使って作成された印刷画像および入力された各種印刷設定に基づき、印刷画像を印刷データに変換する。プリンタドライバ２００１は、画像形成装置１のプリント機能に対する要求（以降プリント要求と呼ぶ）として、少なくとも印刷データおよび印刷設定を、通信Ｉ／Ｆ２５からネットワーク１０００を通じて画像形成装置１に送信する。
【００２７】
次に画像形成装置１について述べる。画像形成装置１のエンジン部１７は、ＡＤＦ１７１、画像読取部１７２、排紙部１７３、画像形成部１７４、両面ユニット１７５、給紙部１７６を有する。給紙部１７６は、第１のトレイ１７６１、第２のトレイ１７６２、第３のトレイ１７６３、第４のトレイ１７６４、第１の施錠部１７６５、第２の施錠部１７６６を有する。
【００２８】
第１〜第４のトレイ１７６１〜１７６４は、操作者が画像形成装置１から引き出し、内部に印刷前の記録媒体を格納できる。なお、第１〜第４のトレイ以外にさらに、取り外し可能なトレイを追加することも可能である。
【００２９】
トレイは、給紙キャビネット、給紙デッキ、給紙トレイ、給紙ホッパー、ペーパートレイ、手差しトレイなどと呼ばれることもある。また、画像形成装置１から取り外し可能な場合は、外付けトレイ、給紙カセット、ペーパーカセットなどと呼ばれることもある。
【００３０】
画像形成装置１に対し端末装置２から送信されてきたプリント要求には、印刷設定の一部として、端末装置２の操作者によって選択されたトレイの情報が含まれている。給紙部１７６の第１〜４のトレイ１７６１〜１７６４のうち、選択されたトレイからエンジン部１７へ記憶媒体が搬送され、画像形成部１７４によって画像形成が実行される。図４には一例として給紙部１７６から搬送された記録媒体が画像形成部１７４で印刷画像を形成され、排紙部１７３へ排出される搬送経路を点線で示している。片面印刷の場合を搬送経路Ｒ１、両面印刷の時には両面ユニット１７５を通る搬送経路Ｒ２で示す。
【００３１】
第３のトレイ１７６３と第４のトレイ１７６４はさらに、それぞれ第１の施錠部１７６５、第２の施錠部１７６６を有する。第３のトレイ１７６３と第４のトレイ１７６４は施錠部により施錠することで画像形成装置１に物理的に固定可能である。第１の施錠部１７６５、第２の施錠部１７６６は一例として、一般的なシリンダー錠を有している。シリンダー錠の鍵穴に鍵を差し込み回転することで、施錠・開錠できる。施錠時にトレイは、画像形成装置１の本体フレーム等に係止され、画像形成装置１から引き出されることはない。この鍵を使用できる人物を管理することにより、第３のトレイ１７６３と第４のトレイ１７６４は、特定の人物のみが開閉可能となる。
【００３２】
つまり、第１のトレイ１７６１、第２のトレイ１７６２は、すでに格納されている用紙を誰でも取り出すことが可能なのに対し、第３のトレイ１７６３、第４のトレイ１７６４に格納されている記憶媒体は、トレイが施錠管理されているため、特定の人物以外はトレイを引き出して取り出すことができない。なお、このような鍵と鍵穴による施錠に限られず、電子的な錠、例えば操作パネル１６から管理者がログインして施錠・開錠を操作できる錠でもよい。
【００３３】
次に、画像形成装置１のコピー機能を使用する形態について説明する。ＡＤＦ１７１または画像読取部１７２にコピーする原稿を置き、操作者が操作パネル１６からコピーに関する指示を入力すると、コピー機能の実行を要求する（以下コピー要求と呼ぶことがある）。
【００３４】
ＡＤＦ１７１を使用する場合であれば、ＡＤＦ１７１は原稿を、搬送経路Ｒ１のように画像読取部１７２に搬送してまた装置の外へ排出する。画像読取部１７２は原稿を光学的に読み取り、印刷データを生成する。生成した印刷データおよび印刷設定に基づき、画像形成部１７４が記録媒体に画像形成を行う。画像形成が行われた記憶媒体は排紙部１７３へ排出される。
【００３５】
給紙部１７６の第１〜４のトレイ１７６１〜１７６４のうち、操作パネル１６で操作者によって選択されたトレイから、格納されている記憶媒体が搬送され、画像形成部１７４がその記録媒体上に画像形成を行う。図４には一例として給紙部１７６から搬送された記録媒体が画像形成部１７４により画像を形成された後、排紙部１７３へ排出される搬送経路を点線で示している。片面印刷の場合を搬送経路Ｒ１、両面印刷の時には両面ユニット１７５を通る搬送経路Ｒ２で示す。
【００３６】
ＦＡＸ機能についても、受信したＦＡＸを記録媒体に印刷する場合、操作者が画像形成装置１の操作パネル１６や端末装置２の入力手段２７から印刷設定の一部としてトレイを選択し、選択されたトレイから、格納されている記憶媒体が搬送され、画像形成部１７４がその記録媒体上に画像形成を行う点、上述のプリント機能、コピー機能と同様である。
【００３７】
なお、画像形成部１７４における画像形成は、用紙等の記録媒体へ印刷可能な方式として電子写真方式やインクジェット方式などを採用することができるが、これに限られない。
【００３８】
図５は、第１の実施形態の画像形成装置１および端末装置２の機能ブロック図である。
【００３９】
画像形成装置１は、入力受付部１００と、表示制御部１１０と、通信制御部１２０と、画像形成制御部１３０と、読出・書込処理部１４０と、記憶部１５０とを備える。
【００４０】
入力受付部１００は、操作パネル１６の処理によって実現され、操作者に対し操作に必要な情報を表示し、操作者による各種入力を受け付ける機能を実行する。
【００４１】
表示制御部１１０は、ＣＰＵ１０がＨＤ１４に記憶されたプログラムを実行することで実現され、入力受付部１００に表示する表示画面を制御する機能を実行する。
【００４２】
通信制御部１２０は、通信Ｉ／Ｆ１５の処理によって実現され、画像情報を外部へメール送信したり、各種設定情報を外部機器から設定可能な場合には、外部機器とネットワーク１０００経由で通信したりする機能を実行する。
【００４３】
画像形成制御部１３０は、ＣＰＵ１０がＨＤ１４に記憶されたプログラムを実行することによって実現され、コピー機能、スキャナ機能、ＦＡＸ機能、プリンタ機能を実行する。
【００４４】
読出・書込処理部１４０は、ＨＤＤ１３の処理によって実行され、記憶部１５０に各種データを記憶したり、記憶部１５０に記憶された各種データを読み出したりする機能を実行する。
【００４５】
記憶部１５０は、ＨＤ１４の処理によって実行され、プログラムや文書データ、画像形成装置１の動作に必要な各種設定情報、画像処理装置１の動作ログ等を格納する機能を実行する。
【００４６】
画像形成制御部１３０はさらに、要求種類判断部１３１、プリント処理部１３２、コピー処理部１３３、ＦＡＸ処理部１３４を有する。要求種類判断部１３１は、ＣＰＵ１０がＨＤ１４に記憶されたプログラムを実行することによって実現され、エンジン部１７の各機能いずれが要求されているのかを判断する機能を実行する。プリント処理部１３２、コピー処理部１３３、ＦＡＸ処理部１３４は、それぞれＣＰＵ１０がＨＤ１４に記憶されたプログラムであるプリンタアプリケーション、コピーアプリケーション、ＦＡＸアプリケーションを実行することによって実現され、それぞれコピー機能、スキャナ機能、ＦＡＸ機能、プリンタ機能を実行する。
【００４７】
記憶部１５０はさらに、トレイ種類記憶部１５１と、トレイ権限記憶部１５２とを有する。トレイ種類記憶部１５１と、トレイ権限記憶部１５２はＨＤ１４によって実行され，それぞれ後述するテーブルを記憶する機能を実行する。
【００４８】
端末装置２は、入力受付部２００と、表示制御部２１０と、通信制御部２２０と、プリント要求作成部２３０とを備える。
【００４９】
入力受付部２００は、入力手段２７の処理によって実現され、操作者による各種入力を受け付ける機能を実行する。
【００５０】
表示制御部２１０は、ＣＰＵ１０がＨＤ２４に記憶されたプログラムを実行することで実現され、ディスプレイ２６に表示する表示画面を制御する機能を実行する。
【００５１】
通信制御部２２０は、通信Ｉ／Ｆ２５の処理によって実現され、画像情報を外部へメール送信したり、各種設定情報を外部機器から設定可能な場合には、外部機器とネットワーク１０００経由で通信したりする機能を実行する。
【００５２】
プリント要求作成部２３０は、ＣＰＵ２０がＨＤ２４に保存されたプログラムを実行することで実現され、画像形成装置１へのプリント機能の実行の要求である、プリント要求を作成し、通信制御部２２０を介し画像形成装置１に送信する機能を実行する。
【００５３】
プリント要求作成部２３０は、印刷画像作成部２３１、データ変換部２３２、ユーザＩＤ付加部２３３を有する。プリント要求作成部２３０は、印刷画像作成部２３１、データ変換部２３２、ユーザＩＤ付加部２３３の各部を制御してプリント要求を作成する。
【００５４】
印刷画像作成部２３１は、ＣＰＵ２０がＨＤ２４に保存されたプログラム、一例として印刷画像作成アプリケーション２０００を実行して実現され、端末装置２に対する操作者の操作に従い画像形成装置１で印刷する画像を作成する機能を実行する。
【００５５】
データ変換部２３２は、ＣＰＵ２０がＨＤ２４に保存されたプログラム、一例として、プリンタドライバ２００１を実行して実現され、作成された印刷画像および印刷設定に基づき、作成された印刷画像を、画像形成装置１で印刷可能なデータである印刷データに変換する機能を実行する。
【００５６】
ユーザＩＤ付加部２３３は、ＣＰＵ２０がＨＤ２４に保存されたプログラム、一例として、印刷アプリ２０００またはプリンタドライバ２００１を実行して実現され、プリント要求に、プリント要求元であるユーザを識別する情報（以降ユーザＩＤと呼ぶことがある。）を付加する機能を実行する。
【００５７】
ここで、プリント要求は、少なくとも前述の印刷データおよび、印刷設定情報として、少なくとも操作者によって選択されたトレイの情報を有している。
【００５８】
選択されたトレイの情報としては、一例として画像形成装置１が有するトレイにあらかじめ定められたトレイ名を用いることができる。操作者は、画像形成装置１の操作パネル１６や端末装置２の入力手段２７からトレイ名を選択して、選択されたトレイの情報とすることができる。別の例として画像形成装置１が有するトレイにあらかじめ定められたトレイ番号などでもよい。
【００５９】
プリント要求に付加するユーザＩＤは、プリント要求の出所を識別できる情報を管理者があらかじめ定めておけばよい。例えば印刷アプリが、印刷アプリの購入者自身や印刷アプリをインストールする端末装置をライセンス登録し、操作者が使用時にログインして使用する使用形態のアプリである場合がある。その場合は、ユーザＩＤとして個々の印刷アプリの識別情報、具体的にはプロダクトキー、ライセンスキー、シリアル番号、製造番号をさだめることができる。
【００６０】
また、ユーザＩＤの別の例として、プリント要求を行った端末装置を操作している人物自体を特定する情報、例として端末装置へのログインＩＤ、またはログインＩＤとパスワードのセットでもよい。
【００６１】
また、印刷アプリ自体が特定のシステム用に作成された特注品である場合がある。その場合はユーザＩＤの別の例として、印刷アプリで作成する印刷画像の拡張子でもよい。
【００６２】
ユーザＩＤとして何を用いるかによって、印刷アプリ２０００が収集して印刷画像とともに付加してプリンタドライバ２００１に渡してもよく、プリンタドライバ２００１が収集して、プリント要求に付加してもよい。また印刷アプリ２０００がプリンタドライバ２００１に渡した印刷画像からプリンタドライバ２００１がユーザＩＤを作成してプリント要求に付加してもよい。
【００６３】
図６を用いて、図５のトレイ種類記憶部１５１に記憶されるトレイ種類テーブルについて説明する。トレイ種類記憶部１５１にはあらかじめ、管理者によって以下の対応付けが記憶されている。すなわち画像形成装置１が有する各トレイの「トレイ名」と、各トレイが施錠管理されているか、されていないかによってそれぞれ鍵付、または通常のいずれかを「状態」として対応付けている。さらに、「トレイ名」と、プリンタアプリ、コピーアプリ、ＦＡＸアプリの機能アプリのうち、そのトレイを使った機能の実行を許可されたアプリケーション、言い換えるとそのトレイを使用できるアプリケーションとを、「使用できるアプリケーション」として対応付けている。本テーブルでは、鍵付トレイに対しては、「使用できるアプリケーション」としてプリンタのみが対応づけられる。
【００６４】
図６のテーブルでは、第３のトレイ１７６３と第４のトレイ１７６４の二つが、「状態」が鍵付のトレイである。それぞれのトレイで異なる管理をする場合のために、鍵付１、鍵付２と区別して記憶されている。第１のトレイ１７６１と第２のトレイ１７６２は、通常として記憶されている。トレイ種類判断部１３２１は、印刷設定情報に含まれる選択されたトレイ名をキーに、鍵付で管理されているか、通常使用であるか、およびそのトレイを使った機能の実行を許可されたアプリケーションを抽出する。
【００６５】
なお、施錠部により施錠可能な第３のトレイ１７６３や第４のトレイ１７６４を、施錠せずに通常のトレイとして使用したい場合もある。その場合は、「状態」として通常を記憶させ、使用できるアプリとしてプリンタ以外の機能アプリケーションを記憶させてよい。また、図６のテーブルでは通常トレイについて、「使用できるアプリケーション」をコピー、プリンタ、ＦＡＸアプリのすべてを対応付けているが、すべてを対応付ける必要はない。
【００６６】
次に図７を用いて、図５のトレイ権限記憶部１５２に記憶されるトレイ権限テーブルを説明する。図７（ａ）に示すテーブルにはあらかじめ、管理者によって以下の情報が記憶されている。すなわち鍵付トレイである第３のトレイ１７６３、および第４のトレイ１７６４それぞれについて、トレイを使用する権限、言い換えるとトレイに格納されている記憶媒体に印刷する権限を有するユーザＩＤとして、印刷アプリ２０００のシリアル番号があらかじめ記憶されている。第３のトレイは鍵付１という管理であり、「SN12345/00」「SN12345/01」という二つのシリアル番号をユーザＩＤとして記憶させている。第４のトレイは鍵付２という管理であり、「SN12345/01」というシリアル番号の印刷アプリをユーザとして使用権限を設定している。トレイ権限判断部１３２２は、選択されたトレイ名をキーに、ユーザＩＤである印刷アプリシリアル番号を抽出する。
【００６７】
図７（ｂ）に示すテーブルは、ユーザＩＤとして、公知の技術により端末装置２にログインしたログインＩＤとパスワードが記憶されている例である。ログインＩＤのみでも管理可能であるが、パスワードと合わせることでより強固な管理が可能である。第３のトレイは鍵付１という管理であり、ログインＩＤ「Abcde」とパスワード「123abc」、およびログインＩＤ「Bcdef」とパスワード「123bcd」で端末装置２にログインしたユーザに使用権限を与えている。第４のトレイは鍵付２という管理であり、ユーザＩＤとしてログインＩＤ「Bcdef」とパスワード「123bcd」を記憶させている。この場合トレイ権限判断部１３２２は、選択されたトレイ名をキーに、トレイを使用する権限を有するユーザＩＤであるログインＩＤ とパスワードのセットを抽出する。
【００６８】
図７（ｃ）に示すテーブルは、ユーザＩＤとして印刷画像のデータ拡張子が記憶されている例である。前述のように印刷アプリ自体が特定のシステム用に作成された特注品である場合、印刷アプリで作成する印刷画像の拡張子も特有のものとなり、ユーザＩＤとして用いることができる。第３のトレイは鍵付１という管理であり、ユーザＩＤとして印刷画像のデータ拡張子「.xxx」を記憶している。第４のトレイは鍵付２という管理であり、ユーザＩＤとして、印刷画像のデータ拡張子「.yyy」を記憶されている。この場合トレイ権限判断部１３２２はトレイを使用する権限を有するユーザＩＤである印刷画像のデータ拡張子を抽出する。
【００６９】
図８のフローチャートで端末装置２の動作を、ユーザＩＤとして図７（ａ）の印刷アプリのシリアル番号を用いた場合を説明する。プリント要求作成部２３０は、操作者が行う印刷アプリ２０００を使用するためのログインを受け付ける（Ｓ１）。印刷画像作成部２３１は、ログインした操作者の入力にしたがい、印刷画像を作成する（Ｓ２）。プリント要求作成部２３０は、操作者による作成した印刷画像の印刷指示を受け付ける（Ｓ３）。データ変換部２３２は、操作者による印刷設定を受け付け、印刷データを作成する（Ｓ４）。
【００７０】
ここで印刷設定には各種があるが、少なくとも選択されたトレイの情報、一例として画像形成装置１が有する各トレイに付与されたトレイ名のうち、操作者により選択されたトレイ名が含まれている。操作者が印刷画像を所望の特殊用紙へ印刷することを希望する場合には、操作者はその特殊用紙が格納されている鍵付トレイをあらかじめ把握しており、その鍵付トレイを選択する。
【００７１】
次にユーザＩＤ付加部２３３は、ユーザＩＤとして印刷アプリのシリアル番号を抽出し、印刷データと選択されたトレイの情報に付加する（Ｓ６）。プリント要求作成部２３０は、印刷データ、選択されたトレイの情報およびユーザＩＤとしての印刷アプリのシリアル番号を、ひとつのプリント要求として画像形成装置１に送信する（Ｓ７）。
【００７２】
図９のフローチャートで画像形成装置１の動作を説明する。画像形成制御部１３０は、画像形成装置１の操作パネル１６や端末装置２の入力手段２７から、プリント機能、コピー機能、ＦＡＸ機能などの各種要求を受け付ける（Ｓ８）。要求種類判断部１３１は、トレイ種類記憶部１５１からトレイ種類テーブルを取得し、受け付けた要求がプリント要求であるか、その他の要求、つまりコピー要求やＦＡＸ要求などであるかを判断する（Ｓ９）。プリント要求でない場合は、後述するフローＡに進み、プリント要求の場合は、Ｓ１１に進む（Ｓ１０）。
【００７３】
プリント処理部１３２のトレイ種類判断部１３２１は、トレイ種類テーブルからプリント要求に含まれる選択されたトレイ名をキーに、状態を抽出し、状態が鍵付であるかを判断する。選択されたトレイが鍵付トレイでない、つまり状態が通常である場合は、選択されたトレイに格納された記憶媒体に印刷を実行して終了する（Ｓ１２）。選択されたトレイが鍵付きトレイであればＳ１１にすすむ。Ｓ１１として、トレイ権限判断部１３２２は、トレイ権限記憶部１５２からトレイ権限テーブルを取得し、選択されたトレイ名をキーにユーザＩＤ、つまり印刷アプリ２０００のシリアル番号が登録されているかどうかを判断し、登録済みのユーザＩＤであれば、選択されたトレイから印刷を実行する（Ｓ１２）。登録済みでなければ、プリント要求を破棄し（Ｓ１３）、プリント要求の要求元である端末装置２へ印刷エラーを通知する（Ｓ１４）。
【００７４】
図１０に示すように、画像形成装置１からプリント要求の要求元である端末装置２へのエラー通知に基づき、端末装置２の表示制御部２１０は、表示部に対してエラーメッセージを表示する（Ｓ１５）ようにしてもよい。つまりエラーメッセージとして、“選択したトレイからの印刷には、対象プリンタに対する管理者によるユーザ登録が必要です。”などと表示する。操作者は、管理者に使用している印刷アプリのシリアル番号の登録を依頼し、画像形成装置１のトレイ権限記憶部１５２のトレイ権限テーブルに、鍵付トレイと印刷アプリのシリアル番号の対応付けが新たに登録されれば、当該鍵付トレイへの印刷が可能となる。
【００７５】
図１１を用いて、図９の処理フローＡを説明する。画像形成制御部１３０は、表示制御部１１０を制御することによりトレイ種類テーブルで「状態」が鍵付と記憶されているトレイを、操作パネル１６に選択不可に表示する（Ｓ１６）。選択不可に表示とは、例えば操作パネル１６に該当トレイの表示自体を行わない、また、該当トレイが選択できないことが操作者にわかるように、色や文字を変えて表示するなどである。
【００７６】
操作者の要求がコピー要求であればコピー処理部１３３が、ＦＡＸ要求であればＦＡＸ処理部１３４が、操作パネル１６に表示されたトレイの中から操作者が選択したトレイ情報を受け付ける（Ｓ１７）。すると、操作パネル１６で選択されたトレイから、記憶媒体が搬送されてコピー処理、ＦＡＸ処理の結果として、印刷が行われる（Ｓ１８）。
【００７７】
図１２を用いて、第２の実施形態を説明する。図１２は第２の実施形態の画像形成装置１および端末装置２の機能ブロック図である。なお第２の実施形態のネットワーク構成およびハードウェア構成は第１の実施形態と同様であるため、省略する。
【００７８】
図１２の機能ブロック図において、端末装置２は第１の実施形態と同じである。画像形成装置１は、第１の実施形態のプリント処理部１３２が、さらに印刷画像判断部１３２３を有している。印刷画像判断部１３２３は、印刷アプリ２０００で作成された印刷画像が、鍵付トレイで印刷するのに適した印刷画像であるかを判断する。善意悪意で、鍵付トレイに実質的には画像の無い印刷画像を印刷指示すると、鍵付トレイ内の記憶媒体をほぼそのまま取り出すことになる。そこで適切な印刷画像であるかどうか、つまりある程度の画像が印刷される印刷画像の条件を設定し、その条件を満たしているかどうかを判断する。
【００７９】
図１３を用いて第２の実施形態の処理フローを説明する。Ｓ１９〜Ｓ２２までは第１の実施形態Ｓ８〜Ｓ１１とそれぞれ同様である。本実施形態では、Ｓ２２でユーザＩＤが登録済みだった場合、印刷画像判断部１３２３が、印刷画像が後述の印刷画像条件を満たすか判断する（Ｓ２３）。満たしていれば選択されたトレイから印刷する（Ｓ２４）。満たしていない場合は、プリント要求を破棄し（Ｓ２５）、端末装置２にエラーを通知して終了する（Ｓ２６）。第１の実施形態と同様、エラー通知に基づき端末装置２でエラーメッセージを表示させてもよく、本実施例の場合エラーメッセージとしては“印刷画像が選択用紙に印刷するための要件を満たしていません。入力項目に不足がないか確認して下さい。”など通知すればよい。
【００８０】
印刷画像条件は一例として、記録媒体に印刷される画像の面積が所定以上であることが挙げられる。別の例として、印字率、つまり用紙全体の面積に占める画像部分の積算面積の割合が所定以上であることが挙げられる。印字率は、印字デューティ、印刷率、印字比率、画像面積比、画像ドット比などで表されることもある。また、印刷画像条件のその他の例として、記録媒体上の所定位置に画像があるかどうかを用いることもできる。
【００８１】
以上説明した第２の実施形態においては、印刷画像自体を判断している為、誤って白紙や白紙に近い内容の印刷画像を鍵付きトレイから印刷することを防止できる。
【００８２】
図１４を用いて、第３の実施形態を説明する。図１４は画像形成装置１および端末装置２の機能ブロック図である。ネットワーク構成およびハードウェア構成は第１の実施形態と同様であるため、省略する。
【００８３】
図１４の機能ブロック図は、画像形成装置１については第１の実施形態と同じである。端末装置２の第１の実施形態のプリント要求作成部２３０が、さらに印刷画像判断部２３４を有している。印刷画像判断部２３４は、印刷画像が印刷画像条件を満たすか判断する。
【００８４】
図１５のフローチャートで第３の実施形態の端末装置２の動作を説明する。第１、または第２の実施形態では印刷指示受付後、印刷設定受付に進んだが、本実施形態においては印刷指示受付後に、印刷画像判断部２３４が、印刷画像条件を満たすかを判断する（Ｓ３０）。印刷画像条件を満たしていない場合は、プリント要求作成を中止して、端末装置２の表示部にエラーメッセージを表示する（Ｓ３５）。印刷画像条件の例、エラーメッセージの例は第２の実施形態と同じである。
【００８５】
以上説明した第３の実施形態においては、誤って白紙や白紙に近い内容の印刷画像を鍵付きトレイから印刷することを防止できる。第２の実施形態に比べてより早い段階、つまり画像形成装置１へプリント要求を送信する前に操作者に印刷画像のエラーを知らせることができる。
【００８６】
次に図１６を用いて第４の実施形態のネットワーク構成を説明する。第１の実施形態と比較して、サーバ装置３をさらに有する。また、画像形成装置１を複数有している。サーバ装置３は端末装置２と同様に、画像形成装置１とネットワーク１０００で接続されている。
【００８７】
図１７にサーバ装置３のハードウェア構成を示す。第１〜３の実施形態の端末装置２と同じ構成のため、その説明は省略する。
【００８８】
図１８は、第４の実施形態の機能ブロック図である。第1の実施形態と端末装置２は同様である。第１の実施形態では画像形成装置１が、トレイ種類記憶部およびトレイ権限記憶部を有していたが、本実施形態ではサーバ装置３がトレイ種類記憶部３４１およびトレイ権限記憶部３４２を有している。本実施形態において入力受付部３００は、管理者のトレイ種類記憶部３４１およびトレイ権限記憶部３４２へのテーブル作成・更新を受け付け、読出・書込処理部３３０は記憶部３４０に記憶する。画像形成装置１のトレイ種類判断部１３２１およびトレイ権限判断部１３２２は、通信制御部１２０を制御して、それぞれトレイ種類テーブル、トレイ権限テーブルをサーバ装置３から取得する。
【００８９】
第４の実施形態では、管理対象のユーザが複数の画像形成装置１を使用するシステムの場合に、すべての画像形成装置１にトレイ種類テーブル、トレイ権限テーブルを作成しなくても、サーバ装置３のテーブルのみ最新情報に更新すれば、管理者は一元管理することが可能となる。
【符号の説明】
【００９０】
１  画像形成装置
１３０  画像形成制御部
１３１  要求種類判断部
１３２１  トレイ種類判断部
１３２２  トレイ権限判断部
【先行技術文献】
【特許文献】
【００９１】
【特許文献１】特開２０１１−１１９４
【図１】
2019020661.tif 000003
【図２】
2019020661.tif 000004
【図３】
2019020661.tif 000005
【図４】
2019020661.tif 000006
【図５】
2019020661.tif 000007
【図６】
2019020661.tif 000008
【図７】
2019020661.tif 000009
【図８】
2019020661.tif 000010
【図９】
2019020661.tif 000011
【図１０】
2019020661.tif 000012
【図１１】
2019020661.tif 000013
【図１２】
2019020661.tif 000014
【図１３】
2019020661.tif 000015
【図１４】
2019020661.tif 000016
【図１５】
2019020661.tif 000017
【図１６】
2019020661.tif 000018
【図１７】
2019020661.tif 000019
【図１８】
2019020661.tif 000020